(57)【要約】【課題】端末間の直接通信で使用するアプリケーションにおいて、このアプリケーションの非会員のユーザでも機能制限をつけることによってサービスを利用できる情報提供装置および、この配信された情報を受信する端末装置を提供する。【解決手段】送受信用アプリケーションを備えた親端末１０からの送信専用アプリケーションの配信要求に基づいて、送信専用アプリケーションが記憶されている記憶部２４内のアドレス情報を配信要求に基づいて子端末１３に送信し、アドレス情報に基づいて子端末１３からのアクセスを受けた場合、このアクセスに応じて送信専用アプリケーションを子端末１３に配信する。【選択図】    図１
2005012550.tif 000002
【特許請求の範囲】
【請求項１】
プログラム情報を端末装置に提供する情報提供装置であって、
送信専用プログラム情報を記憶する記憶手段と、
第１の端末装置から第２の端末装置に向けて送信専用プログラム情報の提供要求を受ける受信手段と、
前記受信手段で受け付けた提供要求に基づいて、前記記憶手段に記憶されている送信専用プログラム情報の所在を示すアドレス情報を第２の端末装置に送信するアドレス情報送信手段と、
第２の端末装置が前記アドレス情報に基づく提供要求を受けた場合、前記アドレス情報に応ずる前記送信専用プログラム情報を提供する提供手段と、
を具備することを特徴とする情報提供装置。
【請求項２】
情報提供装置は、さらに第２の端末装置から提供要求を受けた場合、第２の端末装置又は第２の端末装置の所有者に固有の識別情報を取得する取得手段と、
取得した前記識別情報を前記送信専用プログラム情報に組み込む生成手段と、を備えることを特徴とする請求項１に記載の情報提供装置。
【請求項３】
プログラム情報を端末装置に提供する情報提供装置であって、
送受信プログラム情報を記憶する記憶手段と、
第１の端末装置から前記送受信プログラム情報の提供要求を受けた場合、当該第１の端末装置又は第１の端末装置の所有者に固有の識別情報を取得する取得手段と、
前記識別情報を前記送受信用プログラム情報に組み込む生成手段と、
を具備することを特徴とする情報提供装置。
【請求項４】
サービス情報を端末装置に提供する情報提供装置であって、
送受信プログラム情報が導入された第１の端末装置から第１の識別情報と、第２の端末装置からの第２の識別情報とを受信する受信手段と、
前記受信手段にて受信した第１の識別情報と、第２の識別情報とに基づいて、サービス情報を定め、前記第１の端末装置に当該サービス情報を提供する提供手段と
を備えることを特徴とする情報提供装置。
【請求項５】
情報提供装置とネットワークを介して接続される端末装置であって、
送受信プログラム情報を記憶する記憶手段と、
送信専用プログラム情報が導入された第２の端末装置から第２の識別情報を受信する受信手段と、
前記端末装置の識別情報と、第２の端末装置からの第２の識別情報とを前記情報提供装置に送信する送信手段と、
前記情報提供装置から前記識別情報と、前記第２の識別情報とに基づくサービス情報を受信する受信手段と
を備えることを特徴とする端末装置。
【請求項６】
第１端末装置とネットワークを介して接続できる端末装置であって、
送信専用プログラム情報を記憶する記憶手段と、
第１の端末装置に第２の識別情報を送信する送信手段と、
を備えることを特徴とする端末装置。
【発明の詳細な説明】
【０００１】
【発明の属する技術分野】
この発明は、携帯端末間での直接的な通信機能を用いて情報を送受信して、協働する技術に係り、特に携帯端末が備える識別情報に対応したサービス情報を配信する情報提供装置、および、この配信された情報を受信する端末装置に関する。
【０００２】
【従来の技術】
近年、赤外線通信機能を備えた携帯電話同士で行う各種サービスが提供されている。例えば、通信を行う双方のユーザがダウンロード等を行うことによって、それぞれの携帯電話の端末内に同じアプリケーションを導入する。有料または無料の会員サービスに登録が必要な場合は、それぞれのユーザが登録を行い、通信を行うユーザ同士が同じ会員サービス加入状態で、電話帳データの交換等が行われている（非特許文献１参照）。
【０００３】
【非特許文献１】
ＮＴＴドコモのサービスで提供されている端末であるＦ５０４ｉＳの機能説明のサイト［平成１５年３月３日検索］。
【０００４】
インターネット＜ｈｔｔｐ：／／ｗｗｗ．ｎｔｔｄｏｃｏｍｏ．ｃｏ．ｊｐ／ｍｃ−ｕｓｅｒ／ｉ／ｆ５０４ｉｓ．ｈｔｍｌ＞。
【０００５】
【発明が解決しようとする課題】
ところが、このような構成では、赤外線通信を行う双方の携帯電話内に同じアプリケーションが導入されている必要がある。
【０００６】
この発明は上記事情に着目してなされたもので、その目的とするところは、端末間での直接的な通信で使用するアプリケーションにおいて、このアプリケーションに機能制限を設けることによって新たなサービスを提供できる情報提供装置および、この配信された情報を受信する端末装置を提供することにある。
【０００７】
【課題を解決するための手段】
本発明はかかる課題を解決するものであり、請求項１の発明は、プログラム情報を端末装置に提供する情報提供装置であって、送信専用プログラム情報を記憶する記憶手段と、第１の端末装置から第２の端末装置に向けて送信専用プログラム情報の提供要求を受ける受信手段と、前記受信手段で受け付けた提供要求に基づいて、前記記憶手段に記憶されている送信専用プログラム情報の所在を示すアドレス情報を第２の端末装置に送信するアドレス情報送信手段と、第２の端末装置が前記アドレス情報に基づく提供要求を受けた場合、前記アドレス情報に応ずる前記送信専用プログラム情報を提供する提供手段とを具備することを特徴とする情報提供装置である。
【０００８】
したがって請求項１の発明は、送信専用プログラム情報が記憶され、第１の端末装置から第２の端末装置に向けて送信専用プログラム情報の提供要求が受信され、受信された提供要求に基づいて、記憶されている送信専用プログラム情報の所在を示すアドレス情報が第２の端末装置に送信される。そして、第２の端末装置がアドレス情報に基づく提供要求を受けた場合、アドレス情報に応ずる送信専用プログラム情報が提供される。このため、例えば、会員であるユーザが非会員であるユーザとアプリケーションのサービスを利用することができる。
【０００９】
また請求項２の発明は、情報提供装置は、さらに第２の端末装置から提供要求を受けた場合、第２の端末装置又は第２の端末装置の所有者に固有の識別情報を取得する取得手段と、取得した前記識別情報を前記送信専用プログラム情報に組み込む生成手段とを備えることを特徴とする請求項１に記載の情報提供装置である。
【００１０】
したがって請求項２の発明は、情報提供装置は、さらに第２の端末装置から提供要求を受けた場合、第２の端末装置又は第２の端末装置の所有者に固有の識別情報が取得され、取得された識別情報が送信専用プログラム情報に組み込まれる。このため、例えば、会員であるユーザが非会員であるユーザと互いの端末の識別情報等を用いたアプリケーションを利用することができる。
【００１１】
また請求項３の発明は、プログラム情報を端末装置に提供する情報提供装置であって、送受信プログラム情報を記憶する記憶手段と、第１の端末装置から前記送受信プログラム情報の提供要求を受けた場合、当該第１の端末装置又は第１の端末装置の所有者に固有の識別情報を取得する取得手段と、前記識別情報を前記送受信用プログラム情報に組み込む生成手段とを具備することを特徴とする情報提供装置である。
【００１２】
したがって請求項３の発明は、送受信プログラム情報が記憶され、第１の端末装置から前記送受信プログラム情報の提供要求が受信された場合、第１の端末装置又は第１の端末装置の所有者に固有の識別情報が取得され、取得された識別情報が送受信用プログラム情報に組み込まれる。このため、例えば、端末に設けられた直接通信機能を用いて、通話料が係らずに手軽に互いの識別情報を相互に送受信することができる。
【００１３】
また請求項４の発明は、サービス情報を端末装置に提供する情報提供装置であって、送受信プログラム情報が導入された第１の端末装置から第１の識別情報と、第２の端末装置からの第２の識別情報とを受信する受信手段と、前記受信手段にて受信した第１の識別情報と、第２の識別情報とに基づいて、サービス情報を定め、前記第１の端末装置に当該サービス情報を提供する提供手段とを備えることを特徴とする情報提供装置である。
【００１４】
したがって請求項４の発明は、送受信プログラム情報が導入された第１の端末装置から第１の識別情報と、第２の端末装置からの第２の識別情報とが受信され、受信した第１の識別情報と、第２の識別情報とに基づいて、サービス情報が定められ、第１の端末装置にサービス情報が提供される。このため、会員であるユーザが非会員であるユーザと互いの端末の識別情報等を用いたサービスを利用することができる。
【００１５】
また請求項５の発明は、情報提供装置とネットワークを介して接続される端末装置であって、送受信プログラム情報を記憶する記憶手段と、送信専用プログラム情報が導入された第２の端末装置から第２の識別情報を受信する受信手段と、前記端末装置の識別情報と、第２の端末装置からの第２の識別情報とを前記情報提供装置に送信する送信手段と、前記情報提供装置から前記識別情報と、前記第２の識別情報とに基づくサービス情報を受信する受信手段とを備えることを特徴とする端末装置である。
【００１６】
したがって請求項５の発明は、送受信プログラム情報が記憶され、送信専用プログラム情報が導入された第２の端末装置から第２の識別情報が受信される。そして、端末装置の識別情報と、第２の端末装置からの第２の識別情報とが情報提供装置に送信され、情報提供装置から識別情報と、第２の識別情報とに基づくサービス情報が受信される。このため、会員であるユーザが非会員であるユーザと互いの端末の識別情報等を用いたサービスを利用することができる。
【００１７】
また請求項６の発明は、第１端末装置とネットワークを介して接続できる端末装置であって、送信専用プログラム情報を記憶する記憶手段と、第１の端末装置に第２の識別情報を送信する送信手段とを備えることを特徴とする端末装置である。
【００１８】
したがって請求項６の発明は、送信専用プログラム情報が記憶され、第１の端末装置に第２の識別情報が送信される。このため、例えば、端末に設けられた直接通信機能を用いて、通話料が係らずに手軽に互いの識別情報を相互に送受信することができる。
【００１９】
【発明の実施の形態】
図１は、この発明に係わる情報配信方法を適用した情報配信システムの一実施形態を示す構成ブロックである。
【００２０】
この情報配信システムは、次の装置等から構成されている。まず、端末上で動作するプログラム情報やサーバ２０からのサービス情報の受信、端末自身の識別情報の送信を行う無線通信部１１ａと相手側の端末から識別情報等の送受信を行う直接通信機能の一例である赤外線通信部１１ｂとを備える通信部１１、およびプログラム情報や自身の識別情報等を記憶する記憶部１２を備えた携帯電話やＰＤＡ等の携帯端末である親端末１０、そして、端末上で動作するアプリケーション等であるプログラム情報の受信を行う無線通信部と自身の端末の識別情報等の送信を行う赤外線通信部とを備える通信部、およびプログラム情報や識別情報等を記憶する記憶部を備えた携帯電話やＰＤＡ等の携帯端末である子端末１３。また、これらの親端末１０および子端末１３と無線通信を行うための携帯電話等の基地局１４と、この基地局１４に接続され、インターネットに接続するためのインターネット接続手段１６が備えられている。さらに、広域接続網であるインターネット１８がネットワークとして設けられている。また、プログラム情報や識別情報の送受信等を行う制御部２２、プログラム情報、識別情報、親端末１０や子端末１３とのユーザ認証情報等を記憶する記憶部２４、およびインターネット１８等のネットワークと接続するための通信部２６を備え、インターネット１８等を介して親端末１０および子端末１３と通信を行うサーバ２０が設けられている。なお、端末が備える識別情報は、端末又はユーザを一意に区別することができる情報であって、例えば、端末の番号や端末のユーザの名前や年齢、ユーザＩＤ等の情報でもよく、端末またはユーザに固有の情報であればよい。なお、親端末１０と子端末１３とが送受信する情報は、識別情報に限られない。また、親端末１０がサーバ２０に送信すべき情報は、識別情報に限られず、サービス情報を生成又は選択するのに必要な情報であればよい。また、プログラム情報とは、サーバ２０から端末に受信されて導入されるアプリケーション等（識別情報を含んでいても良い）のことである。さらに、サービス情報とは、サーバ２０から端末に配信されるコンテンツ情報（例えば、占いアプリケーションにあっては、占い結果等）である。さらに、この明細書において、直接通信とは、有線・無線を問わず、ケーブル通信、赤外線通信、短距離無線通信、などの端末同士で直接的に行われる通信のことをいう。従って、例えば、端末同士をケーブルで繋げるものや、規格としては、ＩｒＤＡ、Ｂｌｕｅｔｏｏｔｈ、ＵＷＢ、ＩＥＥＥ８０２．１１ｂなどの無線通信が挙げられる。なお、本実施形態では、赤外線通信の場合について説明するが、他の方式であっても同様である。
【００２１】
また、上述した親端末１０と子端末１３との違いは、それぞれの記憶部に導入されているアプリケーションであるプログラム情報の違いである。具体的には、親端末１０に導入されているアプリケーションであるプログラム情報は、端末との識別情報の送受信が可能なプログラム情報（送受信用プログラム情報）であり、子端末１３に導入されているアプリケーションであるプログラム情報は、親端末１０への識別情報の送信のみが可能なプログラム情報（送信専用プログラム情報）であり、送受信用プログラム情報を備えている端末、即ち、サーバ２０が行っているサービスの会員である端末を親端末１０、非会員である端末を子端末１３としている点のみが相違する。なお、子端末１３は、導入されている送信専用プログラム情報を送受信用プログラム情報にバージョンアップさせることが可能である。このバージョンアップが行われると、子端末１３は、会員（親端末１０）となり、親端末１０と同等のサービスをサーバ２０より受けることができる。このバージョンアップには、子端末１３が新たにサーバ２０より送受信用プログラム情報をダウンロードしたり、子端末１３に導入されている送信専用プログラム情報に解除キー等を入力する又は、サーバ２０から提供を受けること等により、送受信用プログラム情報として使用できるようにする。
【００２２】
また、インターネット１８以外にもＬＡＮ等の様々なネットワークを適用することができ、端末とサーバ２０との間でデータ通信を行うことができるものであればよい。
【００２３】
サーバ２０は、図２に示すように、次の手段等から構成されている。端末から得られた識別情報に基づいて、対応するサービス情報を後述するサービス情報記憶領域２４ｃから呼び出したり、呼び出されたサービス情報を送信する端末用に改変を加えたりするサービス情報生成・選択手段２２ａと、送受信用プログラム情報から送信先の子端末１３用の送信専用プログラム情報を生成したり、送受信用プログラム情報および送信専用プログラム情報に親端末１０や子端末１３の識別情報を組み込んだりするプログラム情報生成手段２２ｂとを備え、プログラム情報や識別情報の送受信等を行う制御部２２。そして、親端末１０や子端末１３とのユーザ認証情報であるパスワード、ＩＤ等を記憶する認証情報記憶領域２４ａ、親端末１０や子端末１３に配信するアプリケーション等であるプログラム情報を記憶するプログラム情報記憶領域２４ｂ、親端末１０から受信した識別情報等を記憶する識別情報記憶領域２４ｃ、および親端末１０から受信した識別情報等に対応した相性占いや姓名判断等の結果のコンテンツ情報であるサービス情報を記憶するサービス情報記憶領域２４ｄを備えた記憶部２４。さらに、インターネット１８と接続するための通信部２６から構成されている。
【００２４】
次に図３は、この発明に係わる情報提供装置および端末装置を適用した情報配信方法の一実施形態の一連の処理を示すシーケンス図である。
【００２５】
親端末１０は、ステップＳ１で、当該親端末１０が備える通信部１１の無線通信部１１ａを用いて基地局１４、インターネット接続手段１６、インターネット１８を介して、サーバ２０の通信部２６と通信を行い、会員の認証処理を行う。この場合、親端末１０の記憶部１２に記憶されている認証情報と、サーバ２０の記憶部２４の認証情報記憶領域２４ａに予め記憶されている当該ユーザの認証情報とを照合することにより、会員の認証処理が行われる。また、親端末１０が会員として登録されていない場合には、新たに会員登録の処理を行う。この場合には、登録された認証情報が、親端末１０の記憶部１２とサーバ２０の認証情報記憶領域２４ａとに記憶され、次回のアクセスのときから記憶された認証情報が用いられる。
【００２６】
ステップＳ１の認証処理が終わると、親端末１０はステップＳ２で、送受信用プログラム情報のダウンロード要求（ＤＬリクエスト）をサーバ２０に送信する。この送受信用プログラム情報は、例えば、親端末１０内の記憶部１２にインストールするアプリケーションであり、この送受信用プログラム情報を用いて別の端末から赤外線通信等の直接通信によって情報を受信又は送信し、この受信した識別情報をサーバ２０に送信し、サーバ２０とサービス情報の送受信を行うことのできるエンターテイメント性が備わったアプリケーションであって、例えば、占いアプリケーションや相性判断アプリケーション等（図５の画面５１参照）のことである。
【００２７】
サーバ２０は、ステップＳ３で、親端末１０から送受信用プログラム情報のダウンロード要求を受信すると、要求のあった送受信用プログラム情報を親端末１０に送信する。親端末１０は、ステップＳ４で、受信した送受信用プログラム情報を記憶部１２にインストール（導入）する。
【００２８】
さて、送受信用プログラム情報（例えば、相性判断アプリケーションであるとする）を導入した親端末１０のユーザが、導入した相性判断アプリケーションを用いて、相性判断アプリケーションの非会員である別の端末（子端末１３）のユーザと相性判断を行う場合について説明する。
【００２９】
まず、親端末１０はステップＳ５で、子端末１３で導入されることとなる送信専用プログラム情報の配信要求を親端末１０自身の識別情報（親）を含めてサーバ２０に送信する。サーバ２０のプログラム情報生成手段２２ｂは、ステップＳ６で、送信専用プログラム情報の送信要求を受信すると、サーバ２０が備える記憶部２４のプログラム情報記憶領域２４ｂに記憶している送受信用プログラム情報を読み出し、送信専用プログラム情報に変換する。そして、サーバ２０は、送信専用プログラム情報をプログラム情報記憶領域２４ｂに記憶する。サーバ２０は、ステップＳ７で、送信専用プログラム情報が記憶されているプログラム情報記憶領域２４ｂのアドレス情報であるＵＲＬ等を子端末１３に送信する。
【００３０】
子端末１３は、アドレス情報を受信すると、ステップＳ８で、受信したアドレス情報を記憶し、ステップＳ９で、記憶したアドレス情報に基づいて送信専用プログラム情報のダウンロード要求（ＤＬリクエスト）と、子端末１３の自身の識別情報（子）とをサーバ２０に送信する。例えば、アドレス情報がＵＲＬである場合には、子端末１３の画面上に表示されているＵＲＬをクリックする等である。サーバ２０のプログラム情報生成手段２２ｂは、ステップＳ１０で、子端末１３からの送信専用プログラム情報のリクエスト要求と、識別情報（子）とを受信すると、この要求に基づいて送信専用プログラム情報をプログラム情報記憶領域２４ｂから読み出し、この送信専用プログラム情報に識別情報（子）を埋め込んで、ステップＳ１１で、子端末１３に送信する。子端末１３は、ステップＳ１２で、受信した送信専用プログラム情報を記憶部１２に導入する。この送信専用プログラム情報は、例えば、相性判断アプリケーションで（図５の画面６１参照）あり、親端末１０に赤外線通信等を用いて情報の送信のみが行えるようになっているものである。なお、上述した送信専用プログラム情報は、送受信用プログラム情報から変換して生成しているが、予め作成された送信専用プログラム情報をプログラム情報生成手段２２ｂに記憶しておき、必要なときに、これを読み出して用いてもよい。また、送受信用プログラム情報および送信専用プログラム情報は、識別情報を含んだ形態で記載しているが、各プログラムが利用される際にユーザが識別情報を直接入力するようにしてもよい。
【００３１】
以上で、親端末１０、子端末１３へのそれぞれのプログラム情報の配信を終了する。
【００３２】
このように配信された実際のプログラム情報を用いた一連の処理について、図４のシーケンス図および図５の模式図を参照して説明する。なお、ここでは、送受信用プログラム情報および送信専用プログラム情報に、それぞれの端末の識別情報を含んだ状態で送信または受信を行う実施形態について説明する。
【００３３】
相性判断アプリケーション（例えば、図５の画面５１の携帯相性占い）を用いて、親端末１０（相性判断アプリケーションの会員）と子端末１３（相性判断アプリケーションの非会員）とが、例えば赤外線通信を用いて相性判断を行う場合、まず、親端末１０は、図５の画面５１に示すように、記憶部１２から携帯相性占いのアプリケーション（送信専用プログラム情報）を呼び出し、画面５２、画面５３へと画面を表示し、ユーザの指示に従って進む。親端末１０は、画面５３を示し、ユーザを占う内容の選択を促す。例えば、ユーザが「１．恋愛」を選択すると、親端末１０は、画面５４の表示に進む。画面５４では、ユーザは、相手が携帯相性占いのアプリケーション（送受信用プログラム情報）の非会員である送信のみが可能な携帯相性占いのアプリケーション（送信専用プログラム情報）を導入した子端末１３であるので、「受信」を選択する（相手が会員であれば、互いに逆になるように選択する）。一方、子端末１３も同様に、記憶部１２から画面６１に示すように、送信専用である携帯相性占いのアプリケーション（送信専用プログラム情報）を呼び出し、画面６２、画面６３へと画面を表示し、ユーザの指示に従って進む。子端末１３は、画面６３を示し、ユーザに占う内容の選択を促す。親端末１０と同様に、ユーザは「１．恋愛」を選択し、子端末１３は、画面６４を表示する。画面６４では、当該携帯相性占いのアプリケーションは送信専用プログラム情報であるので、子端末１３は、「送信」のみが選択可能となっている。ユーザが「送信」を選択することによって、子端末１３は、図４のステップＳ２０で、サーバ２０から受信した送信専用プログラム情報に埋め込まれている識別情報（子）を読み出し、赤外線通信部を用いて親端末１０へ送信する。親端末１０は、子端末１３の識別情報（子）を赤外線通信部１１ｂを用いて受信すると、ステップＳ２１で、記憶部１２の携帯相性占いアプリケーション（送受信プログラム情報）から自身の識別情報（親）を読み出し、ステップＳ２２で、読み出した識別情報（親）と子端末１３から受信した識別情報（子）とを無線通信部１１ａを用いてサーバ２０に送信する（図５の画面５６参照）。サーバ２０のサービス情報生成・選択手段２２ａは、ステップＳ２３で、受信した親端末１０の識別情報（親）と子端末１３の識別情報（子）との組み合わせに対応するサービス情報である（親端末１０のユーザと子端末１３のユーザとの）相性判断を判定し、結果を記憶部２４のサービス情報記憶領域２４ｃから抽出する。サーバ２０の制御部２２は、ステップＳ２４で、通信部２６から抽出したサービス情報を親端末１０に送信する。親端末１０は、受信したサービス情報を記憶部１２に記憶する。必要に応じて、図示しない表示部に受信したサービス情報を表示させてもよい。また、さらに必要に応じて、親端末１０は、ステップＳ２６で記憶したサービス情報を読み出し、赤外線通信等で子端末１３に送信してもよい。子端末１３は、ステップＳ２７で、受信したサービス情報を記憶し、必要に応じて、図示しない表示部に受信したサービス情報を表示させてもよい。
【００３４】
また、本実施の形態に記載した方法は、計算機（コンピュータ）に実行させることができるプログラム（ソフトウェア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウェア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウェア手段を構築し、このソフトウェア手段によって動作が制御されることにより上述した処理を実行する。
【００３５】
以上で、プログラム情報として相性判断アプリケーションを用いた一連の処理を終了する。
【００３６】
なお、上述した実施形態では、会員のユーザ端末（親端末１０）と非会員のユーザ端末（子端末１３）との利用形態について説明したが、会員のユーザ端末（親端末１０）同士においても同様にサービスを利用できることは勿論である。
【００３７】
以上により、端末間で直接的な通信を用いたアプリケーションにおいて、機能制限されたアプリケーションを導入している端末と、機能制限がないアプリケーションを導入している会員端末とが協働してサービスを利用できる。
【００３８】
【発明の効果】
請求項１の発明によれば、ユーザが他のユーザにサービスを利用するのに必要なプログラム情報を提供することができる。
【００３９】
請求項２の発明によれば、識別情報等を用いたサービス情報を利用するために、プログラム情報へ識別情報を埋め込んでおくことができる。
【００４０】
請求項３の発明によれば、サービス情報を利用するために、プログラム情報へ識別情報を埋め込んでおくので、ユーザは識別情報を気にする必要がない。
【００４１】
請求項４の発明によれば、端末の識別情報等に対応するサービス情報を提供することができる。また、このサービス情報は、いずれかの端末にのみ提供されるが、端末は協働してサービス情報が得られたと感じることができる。
【００４２】
請求項５の発明によれば、端末間で直接的な通信により情報をやり取りでき、さらに、やり取りした情報を用いてサービス情報の提供を受けることができる。
【００４３】
請求項６の発明によれば、端末に設けられた直接的な通信機能を用いて、手軽に識別情報を受信することができる。
【図面の簡単な説明】
【図１】この発明に係わるシステムの構成を示したブロック図。
【図２】この発明に係わるサーバの構成を示したブロック図。
【図３】この発明に係わる情報提供装置および端末装置を適用した情報配信方法の一実施形態の一連の処理を示すシーケンス図。
【図４】この発明に係わる情報提供装置および端末装置を適用した情報配信方法の一実施形態の配信されたプログラム情報を用いた一連の処理を示すシーケンス図。
【図５】この発明に係わる情報提供装置および端末装置を適用した情報配信方法の一実施形態の配信されたプログラム情報を用いた一連の処理を示す模式図。
【符号の説明】
１０…親端末、１１ａ…無線通信部、１１ｂ…赤外線通信部、１１…通信部、１２…記憶部、１３…子端末、１４…基地局、１６…インターネット接続手段、１８…インターネット、２０…サーバ、２２…制御部、２２ａ…サービス情報生成・選択手段、２２ｂ…プログラム情報生成手段、２４ａ…認証情報記憶領域、２４ｂ…プログラム情報記憶領域、２４ｃ…サービス情報記憶領域、２４ｄ…識別情報記憶領域、２４…記憶部、２６…通信部
【図１】
2005012550.tif 000003
【図２】
2005012550.tif 000004
【図３】
2005012550.tif 000005
【図４】
2005012550.tif 000006
【図５】
2005012550.tif 000007